(57)【要約】【課題】配送伝票と必要書類を一体化し、配送時には必要書類を隠蔽しつつ、受取人側においては簡単な方法でその必要書類を取り出すことができるようにすること。【解決手段】台紙２０の上に上紙３０を貼合したシート体の中央に横断ミシン目２２（３２）を介して本票１１と分離票１２を連接し、本票１１は周縁部に仮着された剥離片２８と、輪郭ミシン目３７で囲まれた分割片３８とを備え、分離票１２は横断ミシン目２２（３２）を切断することにより本票１１から分離可能とする。これにより、配送時には、分離票１２を横断ミシン目２２（３２）で本票１１の裏側に折り畳んで隠蔽するとともに、剥離片２８を剥がして露出した粘着剤層３６で商品に貼り付ける一方、輪郭ミシン目３７を切断して本票１１から分割片３８を切り離した後、受取人側では、分離票１２を引き抜くだけで横断ミシン目２２（３２）が切断されて、分離票１２が本票１１から分離されるようにした。【選択図】図５
2006281739.tif 000002
【特許請求の範囲】
【請求項１】
台紙の上に上紙を貼合したシート体で構成され、このシート体の中央に形成された折り畳み兼切り取り用のミシン目を介して本票と分離票が連接されたラベル帳票において、
上記本票は、上記台紙の周縁に沿って塗工された剥離剤層と上記上紙の周縁に沿って塗工された粘着剤層とにより剥離可能に仮着された剥離片と、この剥離片よりも内側の領域の上紙に切り取り用のミシン目又はハーフカットで囲まれた分割片とを備え、
上記分離票は、上記上紙に塗工された粘着剤層により上記台紙と上記上紙が剥離不能に接着されるとともに、上記折り畳み兼切り取り用のミシン目を切断することにより上記本票から分離可能に設けられている
ことを特徴とするラベル帳票。
【請求項２】
上記分割片について、上記上紙の裏面及び台紙の表面に粘着剤あるいは接着剤等の糊類が塗工されていないことを特徴とする請求項１に記載のラベル帳票。
【請求項３】
上記分割片について、上記上紙の裏面又は台紙の表面に弱接着加工が施されていることを特徴とする請求項１に記載のラベル帳票。
【発明の詳細な説明】
【技術分野】
【０００１】
本発明は、特に通信販売業界、百貨店業界、あるいは運輸業界において使用される配送伝票として好適なラベル帳票に関する。
【背景技術】
【０００２】
図８は従来の商品配送時の様子を示す説明図である。
【０００３】
同図に示すように、例えば通信販売で注文を受けた商品を発送する場合、発送者は商品の流れを管理するため、商品を梱包したケース１の外側に配送伝票２を貼り付けて発送している。また、商品と一緒に利用明細書、振込用紙、あるいは納品書などの必要書類３を送ることがあるが、これらの必要書類３の中には、利用明細や請求金額のように他者に知られたくない情報が記載されているので、配送時に外部からその情報を判読できないようにしなければならない。
【０００４】
そこで、従来は、利用明細書等の必要書類３を専用の封筒４に入れ、その封筒４をケース１の外側に貼付するか、又はケース１の中に商品と同封して配送する方法が採用されていた。そして、配達業者は商品を配達し終えると、配達票２ｂの受領印欄に受取人の捺印かサインをもらい、その配達票２ｂを貼付票２ａから切り離して配達記録として持ち帰るようにしている。
【０００５】
ところで、このようなシステムにおいて、配送伝票２とその他の必要書類３には、例えば配送先、配送元、あるいは商品名のように両者に共通して記載すべき内容が数多く含まれている。そのため、印刷効率やデータマッチング等の観点から、発送者にしてみれば配送伝票２と必要書類３に同時に印字できるようにしたいという要望がある。また、配送時に掛かる諸経費を負担する発送者にとっては、配送伝票２、必要書類３、及び封筒４という三つの媒体を用意する方法よりも、配送伝票２と必要書類３を一体化した媒体を作製する方法の方が、封筒も要らず材料コストを削減できるので望ましい。
【０００６】
その一方、近年では、こうした配送伝票２と必要書類３を一体化した帳票も提案されている。例えば下記の特許文献１には、貼付票と領収票と配達票の各票を切り取り用のミシン目を介して連接した配送伝票が開示されている。この配送伝票の使用方法としては、領収票と配達票を交互に折り畳んで貼付票の裏側に隠し、貼付票の左右両端にある剥離紙を剥がして粘着剤によって配送伝票を貼り付けるようにしている。
【０００７】
しかし、この配送伝票は、貼付票の左右両端に剥離紙が仮着されているため、紙面に段差が生じてしまう。このため、貼付票を含む各票にノンインパクトプリンタで印字しようとした場合、この段差が原因でトナーが安定して転写されず、トナーの転写ムラによる印字の抜けやかすれ等の印字不良が発生してしまう。また、この段差が原因でプリンタ内での搬送トラブルが発生することも考えられる。
【０００８】
しかも、この配送伝票は、配送時に必要書類を隠して送ることができるものの、受取人側においてその必要書類を取り出す作業が面倒である。すなわち、配達業者によって配達票が切り離された後、貼付票の裏側から領収票を引き出すとともに、領収票と貼付票との間にあるミシン目を切断しなければ、領収票を取り出すことができない。
【０００９】
【特許文献１】特開２００２−６７５４３号公報
【発明の開示】
【発明が解決しようとする課題】
【００１０】
本発明は、上述した問題を解決するためになされたものであり、配送伝票と必要書類を一体化して同時印刷を可能にするとともに、配送時には必要書類を隠蔽でき、かつ受取人側において簡単な方法でその必要書類を取り出すことができるラベル帳票を提供することを目的とする。
【課題を解決するための手段】
【００１１】
上記目的を達成するため、本発明は、台紙の上に上紙を貼合したシート体で構成され、このシート体の中央に形成された折り畳み兼切り取り用のミシン目を介して本票と分離票が連接されたラベル帳票において、上記本票は、上記台紙の周縁に沿って塗工された剥離剤層と上記上紙の周縁に沿って塗工された粘着剤層とにより剥離可能に仮着された剥離片と、この剥離片よりも内側の領域の上紙に切り取り用のミシン目又はハーフカットで囲まれた分割片とを備え、上記分離票は、上記上紙に塗工された粘着剤層により上記台紙と上記上紙が剥離不能に接着されるとともに、上記折り畳み兼切り取り用のミシン目を切断することにより上記本票から分離可能に設けられていることを特徴とする。
【００１２】
本発明において、台紙と上紙が共に印字適性を備えた印刷用紙で構成されていると、本票と分離票の表裏面に印字可能となるので望ましい。例えば、上質紙、軽量コート紙、コート紙、アート紙などが使用でき、この中でも特にノンインパクトプリンタによる印字適性に優れた上質紙が好適である。
【００１３】
また、上記分割片を配達票等として適用する場合には、剥がした後に粘着感がない方がよいので、上記分割片について、上記上紙の裏面及び台紙の表面には粘着剤あるいは接着剤等の糊類が塗工されていないことが望ましい。
【００１４】
一方、上記分割片については、台紙の表面に接着剤を塗工し、上紙の裏面にシリコーン剤を含むインキ・剥離ＯＰニスを印刷する加工や、上紙の裏面又は台紙の表面に接着力の弱い接着剤を塗工する等の弱接着加工を施してもよい。この場合、分割片について上紙と台紙とが弱接着されることになるので、配送時に各種の伝票類が脱落することを防止できる。
【００１５】
本発明に係るラベル帳票は、配送伝票とその他の必要書類とを一体化した帳票として好適であり、本票を配送伝票に適用し、分離票を利用明細書のように隠蔽が必要な書類に適用することができる。その使用方法としては、分離票を折り畳み兼切り取り用のミシン目を介して本票の裏側に折り畳み、本票に仮着された剥離片を剥がして露出した粘着剤層を介して商品に貼り付ける。また、本票から分割片を切り離した後、分離票を引き抜くだけで折り畳み兼切り取り用のミシン目が切断されて、分離票が本票から分離される。
【発明の効果】
【００１６】
上述した構成から明らかなように、本発明に係るラベル帳票は、配送伝票とその他の必要書類とを一体化した帳票として適用できるため、発送者は従来のように別途専用の封筒を用意する必要がなく、配送時の材料コストを削減できる。
【００１７】
また、台紙と上紙を貼合したシート体で構成される一枚帳票であり、その表裏面に段差がないのでノンインパクトプリンタ等による印字適性に優れ、しかも配送伝票と必要書類にプリンタでの同時印字が可能であるため、両書面に印字したデータのマッチングミスを可及的に防止できる。
【００１８】
さらには、配送伝票の裏側に必要書類が隠蔽される構造であるため、配送時に必要書類に印字された情報が盗み見られることがなく、また、配送伝票から配達票などを切り離さなければ必要書類を取り出せないため、極めて機密性が高い。しかも、必要書類を引き抜くだけでミシン目が切断される、いわゆるスナップアウト方式で必要書類を取り出せるようにしたので、受取人側の作業は簡単である。
【発明を実施するための最良の形態】
【００１９】
以下、本発明の実施の形態について、添付した図面を参照しながら詳細に説明する。
【実施例１】
【００２０】
［ラベル帳票の全体構造］
図１は本発明に係るラベル帳票の外観を示す平面図である。
【００２１】
同図に示すように、このラベル帳票１０は、通信販売業者や百貨店業者が商品と一緒に必要書類を配送する際に、配送伝票と必要書類を一体化して送ることができるようにした帳票である。同ラベル帳票１０は、上質紙からなる台紙２０の上に同じく上質紙からなる上紙３０を重ね合わせて貼合したシート体で構成されており、そのシート体の表裏面、つまり上紙３０の表面と台紙２０の裏面の両面にノンインパクトプリンタによる印字が可能になっている。
【００２２】
また、このラベル帳票１０は、貼合したシート体の上半分の領域が本票１１、下半分の領域が分離票１２として区画されている。本実施形態では、図示したように本票１１を領収書兼配送伝票に適用し、分離票１２を利用明細書に適用したレイアウトになっている。
【００２３】
［台紙の構造］
図２はラベル帳票における台紙の構造を示す平面図である。
【００２４】
同図に示すように、台紙２０は矩形状の用紙２１からなり、その用紙２１を上下に二等分する位置には、両側辺に直交する横断ミシン目２２が設けられており、横断ミシン目２２を境に上側の領域が本票になり、下側の領域が分離票になる。横断ミシン目２２は、折り畳み兼切り取り用のミシン目であり、用紙２１にカット加工を施してカット部とアンカット部を形成し、用紙２１を折り曲げ易くしつつ、カッター等の刃具を使用しなくても用紙２１を切断できるようにしたものである。同横断ミシン目２２は、用紙２１の表面側から見ると山折り線であり、逆に、用紙２１の裏面側から見ると谷折り線である。
【００２５】
なお、横断ミシン目２２の略中央には、本票側へ半円状に切り抜いた指抜き２３が形成されている。
【００２６】
台紙２０の本票において、用紙２１の表面側には、その周縁三辺に沿って一定の塗布幅で剥離剤層２６が塗工されている。この剥離剤層２６は、後述する上紙３０の裏面に塗工された粘着剤層３６との接着力を弱め、上紙３０から台紙２０を剥がし易くするためのものである。また、剥離剤層２６を塗工した内側に沿って用紙２１の表裏面を貫通するスリット２７が設けられており、このスリット２７を裂いて剥離片２８のみを剥がせるようになっている。
【００２７】
台紙２０の分離票には、用紙２１の周縁三辺に沿って用紙２１の表裏面を貫通する切り取り用のミシン目２４が設けられている。このミシン目２４を切断することにより余剰片２５が切り取られるが、この余剰片２５の幅寸法は、上記剥離片２８の幅寸法よりも長寸に設定される。つまり、本票１１と分離票１２の紙幅を比べると、本票１１の方が幅広になっている。
【００２８】
［上紙の構造］
図３はラベル帳票における上紙の構造を示す平面図である。
【００２９】
同図に示すように、上紙３０は上記台紙２０と同サイズの用紙３１からなり、用紙３１上には、台紙２０の横断ミシン目２２に対応する位置に、同じく横断ミシン目３２が設けられている。上紙３０においても、上記台紙２０と同様に、横断ミシン目３２を境に上側の領域が本票になり、下側の領域が分離票になる。また、この横断ミシン目３２は、用紙３１の表面側から見ると山折り線であり、逆に、用紙３１の裏面側から見ると谷折り線である。
【００３０】
なお、横断ミシン目３２の略中央には、上記台紙２０と同位置に、本票側へ半円状に切り抜いた指抜き３３が形成されている。
【００３１】
上紙３０の本票において、用紙３１の表面側には、上記台紙２０の剥離片２８よりも内側の領域に三つの分割片３８、３８、…が連接されており、各分割片３８は切り取り用の輪郭ミシン目３７で囲まれている。また、輪郭ミシン目３７の一角を切り落としたコーナーカット３９が形成されており、各分割片３８、…をつまむ際のきっかけになり、本票から容易に切り離すことが可能である。なお、本実施形態では、図１に示したように、三つの分割片３８、…がそれぞれ領収書、配達票、及び貼付票として適用されている。
【００３２】
上紙３０の分離票には、上記台紙２０と同位置に、用紙３１の周縁三辺に沿って切り取り用のミシン目３４が設けられている。一方、上紙３０の裏面側を見ると、用紙３１の上に粘着剤層３６が塗工されている。この粘着剤層３６は、三つの分割片３８、…を除いた領域、つまり輪郭ミシン目３７よりも外側の領域に全面塗工されている。
【００３３】
[ラベル帳票の断面構造]
図４はラベル帳票の構造を示す断面図である。
【００３４】
同図に示すように、本実施形態のラベル帳票１０は、台紙２０（図２参照）の上に上紙３０（図３参照）を重ね合わせて貼合したシート体で構成され、台紙２０と上紙３０の用紙間の構造は次のようになる。
【００３５】
図４（ａ）に示すように、本票１１の剥離片２８に相当する位置では、台紙２０と上紙３０が仮着されている。すなわち、台紙の用紙２１表面に塗工された剥離剤層２６と上紙の用紙３１裏面に塗工された粘着剤層３６とが接触しており、その境界面Ｐを介して両紙が剥離可能に擬似接着された状態になっている。
【００３６】
図４（ｂ）に示すように、本票１１の分割片３８に相当する位置では、台紙２０の上に上紙３０が重なっている。すなわち、台紙の用紙２１表面には剥離剤層２６が塗工されておらず、また、上紙の用紙３１裏面にも粘着剤層３６や接着剤等の糊類が塗工されていないので、用紙どうしが接触した状態である。
【００３７】
一方、図４（ｃ）に示すように、分離票１２に相当する位置では、台紙２０と上紙３０が完全接着されている。すなわち、台紙の用紙２１表面には剥離剤層２６が塗工されていないのに対し、上紙の用紙３１裏面には粘着剤層３６が塗工されているので、用紙２１と粘着剤層３６とが接触して両紙が剥離不能に接着された状態になっている。なお、台紙２０のミシン目２４と上紙３０のミシン目３４は同位置に配置される。
【００３８】
［ラベル帳票の使用方法］
以上が本実施形態のラベル帳票の構造であるが、次に、このラベル帳票の使用方法について、図５に基づき説明する。
【００３９】
はじめに、商品の注文を受けた通信販売業者は、本票１１の三つの分割片３８、…に領収書、配達票、及び貼付票としての所定事項を、また、分離票１２に利用明細書としての所定事項をノンインパクトプリンタで印字する。ラベル帳票１０は共に上質紙からなる台紙２０と上紙２０を貼合したシート体で構成されており、しかも表裏の印字面に段差がないので、ノンインパクトプリンタによる印字適性に優れている。
【００４０】
また、配送伝票と領収書及び利用明細書を一体化した帳票であるため、配送時の材料コストを削減でき、かつプリンタでの同時印字が可能であるため、各書面に印字したデータのマッチングミスも防止できる。さらには、本票１１と分離票１２の裏面にも印字できるので、本票１１の裏面を本帳票の取り扱い説明に、また、分離票１２の裏面を納品書等に適用してスペースを有効活用することも可能である。所定事項が印字されたラベル帳票１０は、配送する商品とともに配達業者に委託される。
【００４１】
配達業者は、図５（ａ）に示すように、分離票１２から余剰片３５を切り離す。分離票１２の周縁三辺には、図４（ｃ）で説明した通り、切り取り用のミシン目として台紙２０のミシン目２４と上紙３０のミシン目３４が同位置に配置されており、しかも台紙２０と上紙３０が完全接着されているので、両紙を破損することなく分離票１２から余剰片３５のみを切り離すことができる。
【００４２】
次に、図５（ｂ）に示すように、分離票１２を折り畳む。すなわち、ラベル帳票１０を裏返し、本票１１と分離票１２との境界に設けられた折り畳み兼切り取り用の横断ミシン目２２（３２）を谷折りして、分離票１２を本票１１の裏側に重ね合わせる。
【００４３】
次いで、図５（ｃ）に示すように、本票１１から剥離片２８を剥がす。本票１１の裏面にはその周縁三辺に沿ってスリット２７が形成されているので、このスリット２７に従って剥離片２８を剥離する。ここで、剥離片２８は、図４（ａ）で説明した通り、裏面の剥離剤層２６によって接着力が弱められているので、本体側の粘着剤層３６から無理なく剥がすことができるようになっている。
【００４４】
続いて、図５（ｄ）に示すように、ラベル帳票１０を商品梱包済みのケース１に貼り付ける。本票１１の裏面に露出した粘着剤層３６を介して貼り付けるが、このとき、本票１１の表面にある三つの分割片３８、３８、…、つまり領収書兼配送伝票が表側に現れて配達先等を確認できる。一方、分離票１２に印字した利用明細書は本票１１の裏側に折り畳まれて隠れた状態になっているので、配達時に利用明細などの情報を外部から盗み見ることはできない。
【００４５】
ここまでが配達前の作業であり、配達業者はケース１の配達時には、図５（ｅ）に示すように、本票１１から各分割片３８、３８、…を切り離す。各分割片３８、…のコーナーカット３９、…に指を掛けてその端部をつまみ、輪郭ミシン目３７を切断することで領収書、配達票、及び貼付票の各票が分離される。ここで、分割片３８は、図４（ｂ）で説明した通り、その裏面に粘着剤層３６が塗工されておらず、台紙の用紙２１の上に上紙の用紙３１が重なっただけの状態なので簡単に切り離すことができる。
【００４６】
そして、配達業者は分割片３８を切り離した後、商品が梱包されたケース１を受取人に手渡す。また、分離された三つの分割片３８、…のうち、領収書と貼付票を受取人の控えとして渡し、残りの配達票の受領印欄に受取人の捺印又はサインをもらい、それを配達記録として持ち帰る。
【００４７】
最後に、商品を受け取った受取人は、図５（ｆ）に示すように、本票１１から分離票１２を切り離す。その方法としては、本票１１の裏側に隠れていた分離票１２を引き抜くだけでよく、これにより、本票１１と分離票１２の間にある折り畳み兼切り取り用の横断ミシン目２２（３２）が切断されて分離票１２を取り出すことができる。このとき、横断ミシン目２２（３２）の中央には本票１１側に切り抜いた指抜き２３（３３）があるので、その下にある分離票１２の縁部をつまみ易くなっている。このようにして引き抜かれた分離票１２を裏返すと、表面に印字された利用明細書が現れる。
【００４８】
したがって、受取人がこのときはじめて利用明細などの隠蔽情報を確認できるようになるので、極めて機密性の高い帳票であるといえる。また、分離票１２を引き抜くだけで横断ミシン目２２（３２）が切断される、いわゆるスナップアウト方式で分離票１２を取り出せるので、受取人側の作業は極めて簡単である。
【実施例２】
【００４９】
図６及び７は本発明に係るラベル帳票の第２の実施例を示すもので、図６はラベル帳票の外観を示す平面図、図７は同ラベル帳票の使用方法を示す説明図である。本実施例において、上述した実施例１と同様な構成については、同一符号を付与してその詳細な説明は省略する。
【００５０】
本実施例のラベル帳票１０ａは、分離票１２の構成が実施例１のラベル帳票１０と異なっており、図６に示すように、分離票１２において、ミシン目３４の下側に更にもう一本のミシン目４４を追加したことが特徴である。このミシン目４４は上紙３０の表面から台紙２０の裏面にかけて貫通して設けられている。これにより、ラベル帳票１０ａは実施例１のラベル帳票１０に比べ、利用明細書の縦サイズが長くなっている。
【００５１】
本実施例のラベル帳票１０ａの使用方法を説明すると、まずは図７（ａ）に示すように配達業者が分離票１２から余剰片３５を切り離す。分離票１２の周縁三辺には、内側のミシン目３４（２４）と外側のミシン目４４が設けられているが、ここでは外側のミシン目４４を切り取って余剰片３５を分離する。
【００５２】
次に、図７（ｂ）に示すように、本票１１から剥離片２８を剥がす。本票１１の裏面には、実施例１と同様に周縁三辺に沿ってスリット２７が形成されているので、このスリット２７に従って剥離片２８を剥がせばよい。
【００５３】
次いで、図７（ｃ）に示すように、分離票１２を折り畳む。ここでは、横断ミシン目２２（３２）を谷折りして分離票１２を本票１１の裏側に重ね合わせるが、分離票１２の縦サイズは実施例１のものよりも長いので、分離票１２の上縁が本票１１裏面の粘着剤層３６の下縁に沿って貼り付けられることになる。
【００５４】
続いて、図７（ｄ）に示すラベル帳票１０ａの貼付作業、及び図７（ｅ）に示す分割片３８の剥離作業については、実施例１のときと同じである。
【００５５】
最後に、商品の受取人は、図７（ｆ）に示すように、本票１１から分離票１２を切り離す。その方法としては、本票１１の裏側に隠れている分離票１２を引き抜くだけでよく、これにより、横断ミシン目２２（３２）と内側のミシン目２４（３４）の二本のミシン目が同時に切断され、分離票１２を取り出して利用明細を確認することができる。
【００５６】
このように、本実施例においても、実施例１と同様に利用明細などの情報を隠蔽した状態で配送できるとともに、分離票１２を引き抜くだけのスナップアウト方式で取り出せるので、受取人の作業も簡単に行うことができる。
【００５７】
［ラベル帳票の変形例］
以上が本発明のラベル帳票の構造及び使用方法であるが、上述した実施例１及び２については、次のような各種の変形例が考えられる。例えば、本票１１の分割片３８、３８、…を領収書、配達票、及び貼付票の三連式にしたが、これに替えて配達票と貼付票の二連式としたり、あるいは領収書に替えてその他の必要書類を適用したりすることも可能である。
【００５８】
また、分割片３８を剥がし易くするために、裏面に粘着剤や接着剤等の糊類を塗工しない例を示したが、これに替えて、台紙２０の表面に接着剤を塗工し、上紙３０の裏面にシリコーン剤を含むインキ・剥離ＯＰニスを印刷する加工や、上紙３０の裏面又は台紙２０の表面に接着力の弱い弱接着剤を塗工する等の弱接着加工を施してもよい。これにより、分割片３８については、上紙３０と台紙２０とが弱接着されることになるので、配送時に領収書、配達票、及び貼付票等の各種の伝票類が脱落することを防止できる。またこの場合、分割片３８の周囲は必ずしも輪郭ミシン目３７にする必要はなく、上紙３０のみをカット加工したハーフカットに替えることができる。
【００５９】
また、ラベル帳票１０をケース１に貼り付けるために本票１１の周縁三辺に沿って粘着剤層３６を塗工する構造を採用したが、替わりに、例えば左右両側辺などの周縁二辺にのみ塗工する構造でもよい。
【００６０】
さらには、本票１１から分割片３８、…を剥がしたとき、分離票１２の取り出し方法の説明等が現れるようにすると、受取人はそれを見ながら作業ができるので便利である。これは、分割片３８が重なる台紙２０の表面にあらかじめ印字しておくことで実現できる。
【図面の簡単な説明】
【００６１】
【図１】本発明に係るラベル帳票の外観を示すもので、（ａ）は表面側から見た平面図、（ｂ）は裏面側から見た平面図である。
【図２】図１のラベル帳票における台紙の構造を示すもので、（ａ）は表面側から見た平面図、（ｂ）は裏面側から見た平面図である。
【図３】図１のラベル帳票における上紙の構造を示すもので、（ａ）は表面側から見た平面図、（ｂ）は裏面側から見た平面図である。
【図４】図１のラベル帳票の構造を示すもので、（ａ）は図１におけるＡ−Ａ線断面図、（ｂ）は図１におけるＢ−Ｂ線断面図、（ｃ）は図１におけるＣ−Ｃ線断面図である。
【図５】図１のラベル帳票の使用方法を示す説明図である。
【図６】本発明に係るラベル帳票の第２実施例の外観を示すもので、（ａ）は表面側から見た平面図、（ｂ）は裏面側から見た平面図である。
【図７】図６のラベル帳票の使用方法を示す説明図である。
【図８】従来の商品配送時の様子を示す説明図である。
【符号の説明】
【００６２】
１０  ラベル帳票
１１  本票
１２  分離票
２０  台紙
２１  用紙
２２  横断ミシン目
２３  指抜き
２４  ミシン目
２５  余剰片
２６  剥離剤層
２７  スリット
２８  剥離片
３０  上紙
３１  用紙
３２  横断ミシン目
３３  指抜き
３４  ミシン目
３５  余剰片
３６  粘着剤層
３７  輪郭ミシン目
３８  分割片
３９  コーナーカット
４４  ミシン目
【図１】
2006281739.tif 000003
【図２】
2006281739.tif 000004
【図３】
2006281739.tif 000005
【図４】
2006281739.tif 000006
【図５】
2006281739.tif 000007
【図６】
2006281739.tif 000008
【図７】
2006281739.tif 000009
【図８】
2006281739.tif 000010